(57)【要約】【課題】本発明は、蔓性植物を下垂させる場合においても、生育が早く、壁面に安定しやすい下垂型壁面緑化システムを提供する。【解決手段】下垂型壁面緑化システム１は、収納ポット２が構造物１０の屋上に配置されるとともに、揺れ止め材５が備えられた補助資材３が収納ポット２の配置位置に近い壁面１０ａに垂設されて、収納ポット２に植裁された蔓性植物７が、補助資材３と揺れ止め材５との間に挟み込まれた状態で、下垂して伸長することにより壁面１０ａを緑化している。また、揺れ止め材５には、遮光プレート６が備えられており、蔓性植物７の先端部が遮光プレート６によって光を遮断されると早く伸長し、遮光プレート６より下方に伸びる。さらに伸長すると、下方に位置する遮光プレート６に再度光を遮断され、これを繰り返すことにより、蔓性植物７の成長が早まり、壁面１０ａの緑化を早期に形成できる。【選択図】  図４
2005027562.tif 000002
【特許請求の範囲】
【請求項１】
構造物の上部より蔓性植物を下垂させて壁面を緑化する下垂型壁面緑化システムであって、
構造物の上部に位置する平面に配置され、前記蔓性植物を植裁する土壌を収納するための収納ポットと、
該収納ポットより下方に位置し構造物に垂設される、蔓性植物が育成する補助資材を備えることを特徴とする下垂型壁面緑化システム。
【請求項２】
請求項１に記載の下垂型壁面緑化システムにおいて、
前記補助資材の表面に、補助資材に育成する蔓性植物の横揺れを防止する揺れ止め材が備えられることを特徴とする下垂型壁面緑化システム。
【請求項３】
請求項２に記載の下垂型壁面緑化システムにおいて、
前記揺れ止め材が、補助資材の表面に対して所定の離間距離をもって平行に配される揺れ止め部、及び該揺れ止め部を該補助資材に支持する支持部を備えてなり、
前記揺れ止め部を水平に配置された揺れ止め材が、該補助資材の高さ方向に所定の離間間隔をもって複数設置されて、蔓性植物を該揺れ止め部と前記補助資材との間に挟み込むことを特徴とする下垂型壁面緑化システム。
【請求項４】
請求項２に記載の下垂型壁面緑化システムにおいて、
前記揺れ止め部を水平に代わり鉛直に配置された揺れ止め材が、該補助資材の幅方向に所定の離間間隔をもって複数設置されて、蔓性植物を補助資材の幅方向に近接して配置された揺れ止め材の間に配置することを特徴とする下垂型壁面緑化システム。
【請求項５】
請求項２から４のいずれかに記載の下垂型壁面緑化システムにおいて、
前記揺れ止め材に、前記補助資材の表面に対して所定の離間間隔を設けて遮光プレートが備えられることを特徴とする下垂型壁面緑化システム。
【請求項６】
請求項２に記載の下垂型壁面緑化システムにおいて、
揺れ止め材が、波形鋼板により形成されており、
該波形鋼板の波紋が壁面の幅方向に連続し、また、高さ方向に延在する波紋の凹部及び凸部が千鳥配置されるように、前記補助資材の表面に波形鋼板が複数連接されることを特徴とする下垂型壁面緑化システム。
【請求項７】
請求項１から６の何れかに記載の下垂型壁面緑化システムにおいて、
前記収納ポットの上方には、内方に収納された土壌を遮光する遮光屋根が、壁面側にのみ開口を有するように備えられていることを特徴とする下垂型壁面緑化システム。
【発明の詳細な説明】
【０００１】
【発明の属する技術分野】
本発明は、下垂型壁面緑化システムに関する。
【０００２】
【従来の技術】
従来より、都市部におけるヒートアイランド現象の緩和や大気の浄化、アメニティ空間の創出等を目的に、建物の屋上や壁面、ベランダ等の緑化が試みられている。壁面緑化には様々な方法が考案されているが、例えば、特許文献１では、植生基材を収納した収納ポットに植裁したツタ類を壁面に登坂させる方法が示されている。このような場合は、植物が壁面に付着しながら比較的早く生育するが、伸びた植物の管理や、収納ポットの配置位置及びメンテナンス等に課題が生じる。
【０００３】
また最近では、特許文献２に示すように、蔓性植物が植えられた植生基材を備えた植物ユニットを建物壁面に設置する方法や、セダムやコケ等の植裁されたパネルを壁面に設置する方法もとられている。しかし、植物ユニットや植生基材を必要とするセダムを植裁したパネルは、荷重やメンテナンスに課題が生じる。また、コケの場合は、緑化の効果や意匠的に課題が生じる。
【０００４】
さらに、特許文献３に示すように、収納ポットを構造物の屋上に配置し、該収納ポットに植裁したツタ等の蔓性植物を構造物の壁面に沿って下垂させる方法も考案されている。このような方法は、収納ポットを屋上に配置することにより、植生基材を収納した収納ポットの管理やメンテナンスを容易に実施できるといった利点を有している。
【０００５】
【特許文献１】
特開２００２−２７２２８１号公報
【特許文献２】
特開２０００−３０００７９号公報
【特許文献３】
特開平５−３３１８６９号公報
【０００６】
【発明が解決しようとする課題】
しかし、上述する蔓性植物を下垂させる構成において、蔓性植物は、構造物の壁面に沿って下垂させると、壁面を登坂させる場合と比較して、伸長が遅い、また、壁面に付着しにくいといった習性を有しており、風等の影響を受けて揺れを生じるなど、壁面に対して不安定な構成となりやすいだけでなく、揺れにより損傷しやすい。
【０００７】
上記事情に鑑み、本発明は、蔓性植物を下垂させる場合においても、伸長が早く、壁面に安定しやすい下垂型壁面緑化システムを提供することを目的としている。
【０００８】
【課題を解決するための手段】
請求項１記載の下垂型壁面緑化システムは、構造物の上部より蔓性植物を下垂させて壁面を緑化する下垂型壁面緑化システムであって、構造物の上部に位置する平面に配置され、前記蔓性植物を植裁する土壌を収納するための収納ポットと、該収納ポットより下方に位置し構造物に垂設される、蔓性植物が育成する補助資材を備えることを特徴としている。
【０００９】
請求項２記載の下垂型壁面緑化システムは、前記補助資材の表面に、補助資材に育成する蔓性植物の横揺れを防止する揺れ止め材が備えられることを特徴としている。
【００１０】
請求項３記載の下垂型壁面緑化システムは、前記揺れ止め材が、補助資材の表面に対して所定の離間距離をもって平行に配される揺れ止め部、及び該揺れ止め部を該補助資材に支持する支持部を備えてなり、前記揺れ止め部を水平に配置された揺れ止め材が、該補助資材の高さ方向に所定の離間間隔をもって複数設置されて、蔓性植物を該揺れ止め部と前記補助資材との間に挟み込むことを特徴としている。
【００１１】
請求項４記載の下垂型壁面緑化システムは、前記揺れ止め部を水平に代わり鉛直に配置された揺れ止め材が、該補助資材の幅方向に所定の離間間隔をもって複数設置されて、蔓性植物を補助資材の幅方向に近接して配置された揺れ止め材の間に配置することを特徴としている。
【００１２】
請求項５記載の下垂型壁面緑化システムは、前記揺れ止め材に、前記補助資材の表面に対して所定の離間間隔を設けて遮光プレートが備えられることを特徴としている。
【００１３】
請求項６記載の下垂型壁面緑化システムは、揺れ止め材が、波形鋼板により形成されており、該波形鋼板の波紋が壁面の幅方向に連続し、また、高さ方向に延在する波紋の凹部及び凸部が千鳥配置されるように、前記補助資材の表面に波形鋼板が複数連接されることを特徴としている。
【００１４】
請求項７記載の下垂型壁面緑化システムは、前記収納ポットの上方には、内方に収納された土壌を遮光する遮光屋根が、壁面側にのみ開口を有するように備えられていることを特徴としている。
【００１５】
【発明の実施の形態】
以下、本発明に係る下垂型壁面緑化システムを、図１から図５を用いて詳述する。本発明の下垂型壁面緑化システムは、蔓性植物を構造物の上方から下垂させる壁面緑化工法であって、構造物の壁面や角部等に蔓性植物が育成する補助資材を備えるとともに、該補助資材に揺れ止め材を設置することにより、構造物の壁面に沿って下垂する蔓性植物を安定させるものである。
【００１６】
（第１の実施の形態）
図１に示すように、下垂型壁面緑化システム１は、収納ポット２と、補助資材３により構成されている。収納ポット２は、構造物１０の上部に位置する平面に配置され、蔓性植物７が植裁されている土壌等の緑化基材８を収納する収納体であり、その内方には、緑化基材８に水分や栄養分を補給するためのチューブ状の部材等よりなる散水装置９が備えられている。
本実施の形態では、複数を長さ方向に連結することによって部材長を自在に延長することができ、蔓性植物７の根が自由に広がりやすく、またチューブ状の部材等よりなる散水装置９を用いた散水が容易である、といった利点を考慮し、該収納ポット２に、いわゆるＵ字溝を用いているが、その形状は必ずしもこれにこだわるものではなく、緑化基材８を収納できる形状であれば何れの形状を用いても良い。
【００１７】
また、前記補助資材３は、蔓性植物７が構造物１０の外壁１０ａに直接的に付着することを防止するため、構造物１０の外壁１０ａを覆うように設置して、蔓性植物７を故意に這わせるものである。また、これら補助資材３は、蔓性植物７の植裁初期時に蔓性植物７を緊結することにより、蔓性植物７を、補助資材３ひいては外壁１０ａに沿って下垂させるよう誘導する機能をも有するものである。
【００１８】
上述する機能を有する補助資材３は、前記収納ポット２の下方に位置するように配置され、例えば高強力ポリエステル繊維やカーボンファイバー繊維等、軽量かつ高強度に構成されたシート状のネットにより形成されている。本実施の形態において、該補助資材３の設置は、上端部が収納ポット２に取り付けられた上で、構造物１０の壁面１０ａに沿って垂設されており、側面、及び下端部がアンカー等の固定手段４により壁面１０ａに固定されている。しかし、補助資材３の上端部は、必ずしも収納ポット２に取り付ける必要はなく、前記収納ポット２の下方に位置すれば、構造物１０の構造に応じて角部やパラペット、外壁１０等、何れに固定しても良い。なお、構造物１０の角部に補助資材３を設置する際には、角部に蔓性植物７の損傷を防止するための保護材を取り付けても良い。
【００１９】
さらに、該補助資材３には、揺れ止め材５が備えられている。該揺れ止め材５は、蔓性植物７が風等の影響を受けて横揺れし、損傷すること防止するもので、補助資材３の所望位置で、高さ方向に所定の離間間隔Ｌ１をもって、複数設置されている。これらは、図２（ａ）に示すように、揺れ止め部５ａと支持部５ｂにより構成されており、棒材よりなる揺れ止め部５ａが、補助資材３の表面に対して、平行でかつ所定の離間距離Ｌ２を設けて水平に配置され、該揺れ止め部５ａと一体に成形された前記支持部５ｂを介して、前記補助資材３に支持されている。
【００２０】
なお、本実施の形態では、複数の揺れ止め材５が、水平方向に連続して配置されているが、必ずしもこれにこだわるものではなく、千鳥状に配置される等、補助資材３と、揺れ止め材５を構成する揺れ止め部５ａとの間に蔓性植物７を挟み込み、蔓性植物７の横揺れを防止できる構成であれば、何れの配置構成を用いても良い。
また、該揺れ止め材５は、外力により変形することがなく、軽量であれば、何れの材料を用いる構成としても良い。
【００２１】
さらに、揺れ止め部５ａの配置方向は、必ずしも水平である必要はなく、図２（ｂ）に示すように、補助資材３の幅方向に所定の離間間隔Ｌ１をもって鉛直に配置しても良い。この場合においても、複数の揺れ止め材５は、補助資材３の長さ方向に連続して配置しても、また千鳥状に配置しても、隣り合う揺れ止め材５の間に蔓性植物７を配置することで横揺れを防止できる構成であれば、何れの配置構成を用いても良い。
また、風等が比較的生じにくく、蔓性植物７が大きな揺れを生じにくい場合には、図２（ｃ）に示すように、揺れ止め材５を棒状等簡略な構成としても良く、揺れ止め材５は、蔓性植物７の横揺れを防止できる構成であれば、何れの形状でも良い。
【００２２】
上述する構成の下垂型壁面緑化システム１は、図１に示すように、前記収納ポット２が構造物１０の屋上で外縁に沿って配置されているとともに、前記補助資材３が収納ポット２の配置位置に最も近い壁面１０ａに垂設された状態で、収納ポット２に植裁された蔓性植物７が、前記補助資材３と前記揺れ止め材５との間に挟み込まれるように下垂して生育することにより、壁面１０ａを緑化している。
【００２３】
このような収納ポット２を構造物１０の屋上に配置する構成は、壁面１０ａに配置する場合と比較して、その重量支持や、散水及び肥料供給等のメンテナンスを容易にすることができるものである。また、屋上の面積に応じて、収納ポット２を長さ方向や幅方向に拡張することができることから、植裁する蔓性植物７の根を自由に拡げることができるとともに、蔓性植物７を容易に増加させることができるものである。
なお、前記構造物１０に対する収納ポット２の設置位置は、屋上にこだわるものではなく、構造物１０の形状に応じてベランダ等、構造物１０の上部に位置する平面であれば、何れに設置しても良い。
【００２４】
ところで、前記補助資材３に備えられている揺れ止め材５には、図３（ａ）に示すように、遮光プレート６を設置することも可能である。該遮光プレート６は、光を遮断する軽量の板材により形成されており、図３（ｂ）に示すように、前記補助資材３の表面に対して所定の離間距離Ｌ３を設けて配置されている。これらは、図４に示すように、補助資材３の所望位置で、高さ方向に所定の離間間隔Ｌ１をもって、複数設置されている揺れ止め材５各々に設置されているが、必ずしもすべての揺れ止め材５に設置する必要はない。
また、遮光プレート６は、図４に示すように、複数の蔓性植物７各々に取り付けるよう、側方に複数を並設しても、側方に隣り合うものどうしを連結したユニット６ａを構成し、これを揺れ止め材５に設置してもよく、蔓性植物７に対して光を遮断すれば何れに設置しても良い。
【００２５】
このような揺れ止め材５に遮光プレート６を備える構成は、一般に植物が有している、光を遮断されると光を求めて蔓の伸長を早める習性を利用するものである。つまり、蔓性植物７の先端部が前記遮光プレート６によって光を遮断されると、遮断しない場合と比較して早く生育し、遮光プレート６より下方に伸びる。これらが補助資材３に沿ってさらに生育すると、下方に位置する新たな遮光プレート６によって再度光を遮断される。これを繰り返すことにより、蔓性植物７の伸長を促し、壁面１０ａの緑化を早期に形成することができるものである。
【００２６】
なお、遮光プレート６は、必ずしも板状にこだわるものではなく、例えば、図３（ｃ）に示すように、側方からの光をも遮断する箱形に形成する等、光を遮断する形状を有していれば、何れの形状を用いても良い。
【００２７】
（第２の実施の形態）
第１の実施の形態では、前記補助資材３に揺れ止め材５及び遮光プレート６を備える構成を示したが、第２の実施の形態では、補助資材３に両者の機能を兼ね備えた波状鋼板１１を用いた下垂型壁面緑化システム１を示す。
【００２８】
図５に示すように、該下垂型壁面緑化システム１は、前記収納ポット２及び補助資材３と、波状鋼板１１を備えている。前記収納ポット２及び補助資材３は、第１の実施の形態で示したものと同様のものを用いているが、前記収納ポット２の上方には、遮光屋根２ａが備えられている。
【００２９】
該遮光屋根２ａは、収納ポット２の内方に収められている植生基材８を遮光することを目的に備えられるものであり、遮光することにより光のある方向へ蔓性植物７の伸長を促進させるものである。また、該遮光屋根２ａの設置に際し、前記壁面１０ａ側にのみ開口を形成する構成は、蔓性植物７の生育方向を上方や屋上側ではなく、開口より光が捉えられる壁面１０ａ側へ誘導するものである。
【００３０】
ところで、該波状鋼板１１は、波紋が構造物１０の壁面１０ａの幅方向に連続するように水平方向に複数を連続させて配置、つまり波紋の凹部もしくは凸部が高さ方向に延在するように配置されており、図示しない支持部材を介して補助資材３もしくは、壁面１０ａに固定されている。これらはさらに、波紋の凹部及び凸部が壁面１０ａの高さ方向で千鳥配置となるように、高さ方向にも複数配置されて、補助資材３の前面を覆っている。
【００３１】
このような波状鋼板１１の配置構成は、壁面１０ａにおける高さ方向の同一直線上で、高さ方向に延在する凹部と凸部が交互に連続する、つまり光のあたる領域と光の遮断される領域が交互に形成されることとなる。このため、前記蔓性植物７は、波紋の凹部の表面と、波紋の凸部で遮光された補助資材３の表面を交互に下垂することとなり、その生育を早めることができるとともに、風等による蔓性植物７の横揺れを防止できるものである。
【００３２】
【発明の効果】
請求項１記載の下垂型壁面緑化システムによれば、構造物の上部より蔓性植物を下垂させて壁面を緑化する下垂型壁面緑化システムであって、構造物の上部に位置する平面に配置され、前記蔓性植物を植裁する土壌を収納するための収納ポットと、該収納ポットより下方に位置し構造物に垂設される、蔓性植物が育成する補助資材を備える。
これにより、下垂型壁面緑化システムは、屋上やベランダ等構造物の上部に位置する平面に収納ポットを配置するとともに、補助資材を外壁に垂設し固定するのみで良いため、施工性が良く、工期短縮、工費削減に大きく寄与することが可能となる。また、散水や肥料の供給等のメンテナンスは、収納ポットに対してのみ行えばよいため、安全でかつ作業性を大幅に向上することが可能となる。
【００３３】
請求項２、３、４記載の下垂型壁面緑化システムによれば、前記補助資材の表面に、補助資材に育成する蔓性植物の横揺れを防止する揺れ止め材が備えられる。
また、前記揺れ止め材が、補助資材の表面に対して所定の離間距離をもって平行に配される揺れ止め部、及び該揺れ止め部を該補助資材に支持する支持部を備えてなり、前記揺れ止め部を水平に配置された揺れ止め材が、該補助資材の高さ方向に所定の離間間隔をもって複数設置されて、蔓性植物を該揺れ止め部と前記補助資材との間に挟み込む。
もしくは、前記揺れ止め部を水平に代わり鉛直に配置された揺れ止め材が、該補助資材の幅方向に所定の離間間隔をもって複数設置されて、蔓性植物を補助資材の幅方向に近接して配置された揺れ止め材の間に配置する。
【００３４】
これにより、揺れ止め材によって風等による蔓性植物の横揺れや舞い上がりを防止できるため、蔓性植物の損傷を抑制することが可能となる。
【００３５】
請求項５記載の下垂型壁面緑化システムは、前記揺れ止め材の揺れ止め部に、前記補助資材の表面に対して所定の離間間隔を設けて遮光プレートが備えられる。
これにより、従来の下垂式の壁面の緑化方法と比較して、蔓性植物の生長を大幅に促進することができ、これに伴い壁面の緑化を短期間で完了することが可能となる。
【００３６】
請求項６記載の下垂型壁面緑化システムは、前記揺れ止め材が、波形鋼板により形成されており、該波形鋼板の波紋が壁面の幅方向に連続し、また、高さ方向に延在する波紋の凹部及び凸部が千鳥配置されるように、前記補助資材の表面に波形鋼板が複数連接される。
これにより、壁面における高さ方向の同一直線上で、光のあたる領域と光の遮断される領域が交互に形成されることとなる。このため、前記蔓性植物は、波紋の凹部の表面と、波紋の凸部で遮光された補助資材の表面を交互に下垂することとなり、その生育を早めることが可能になるとともに、風等による蔓性植物の横揺れを防止することが可能となる。
【００３７】
請求項７記載の下垂型壁面緑化システムは、前記収納ポットの上方には、内方に収納された土壌を遮光する遮光屋根が、壁面側にのみ開口を有するように備えられていることを特徴としている。
これにより、光のある方向へ蔓性植物の伸長を促進させるとともに、蔓性植物の生育方向を上方や屋上側ではなく、開口より光が捉えられる壁面側へ誘導することが可能となる。
【図面の簡単な説明】
【図１】本発明に係る下垂型壁面緑化システムの概略を示す図である。
【図２】本発明に係る補助資材と揺れ止め材を示す図である。
【図３】本発明に係る遮光プレートを示す図である。
【図４】本発明に係る遮光プレートを備えた下垂型壁面緑化システムを示す図である。
【図５】本発明に係る下垂型壁面緑化システムの他の事例を示す図である。
【符号の説明】
１  下垂型壁面緑化システム
２  収納ポット
２ａ  遮光屋根
３  補助資材
４  固定手段
５  揺れ止め材
６  遮光プレート
７  蔓性植物
８  緑化基材
９  散水装置
１０  構造物
１１  波状鋼板
【図１】
2005027562.tif 000003
【図２】
2005027562.tif 000004
【図３】
2005027562.tif 000005
【図４】
2005027562.tif 000006
【図５】
2005027562.tif 000007